(57)【要約】【課題】インダクタンスの仕組み改良の提供。【解決手段】本考案はインダクタンスの仕組み改良であり、本体は主に高インダクタンス率の鉄心のセンターに中柱が設置され、中柱の両側には中柱と同じ方向へ向かって突出した側柱があり、この構造は全体の鉄柱の長さLを適切な比率で延長させるものである。また、鉄心の構造にあわせワイヤフレームの中央部にも孔が開いている。中央部の孔の外側にはワイヤで巻かれたダクトがあり、２つの鉄心がそれぞれ中柱からフレームの中央部の孔に入り込むようにさせ、それに両側にある側柱を利用してワイヤフレームを中に包み込み、２つの長さの違う中柱を相互にうまく噛み合せることにより、全体的にフレームを延ばし、ワイヤフレームが折り重なる面積が大きくなることで、漏れインダクタンスをうまく低下させる。【選択図】図４
0003119987.tif 000002
【実用新案登録請求の範囲】
【請求項１】
本考案はインダクタンスに係る構造改良で、鉄心とワイヤフレームから構成され、鉄心の中央に中柱があり、中柱の両側に同じ方向に突出している側柱があり、ワイヤフレームの中央部に孔が開いおり、中央部の孔の外周がワイヤで巻きつけられ、２つの鉄心を中柱と反対側から差し込まれたワイヤフレームの中央部の孔に通し、それに両側の側柱を利用してワイヤフレームを中に包み込むことで、鉄心とワイヤフレームを合体させることを特徴とする構造改良である。また、鉄心の幅（Ｗ）対長さ（Ｌ）は３対２の割合で、長いほうの中柱を使って連結することでワイヤフレームの長さを伸ばし、コイルに接触させる面積を広げて、漏れインダクタンスを低下させることを特徴とする構造。
【請求項２】
請求項１記載のインダクタンスの仕組み改良において、鉄心は高インダクタンス率(μ)の材料を使って製作することで、鉄心の長さが長くなるほど回路も長くなり、そのために効率が低下するのを減らすことを特徴とする構造。
【考案の詳細な説明】
【技術分野】
【０００１】
本考案はインダクタンスの仕組み改良であり、とくに有効的にコイルの漏れインダクタンスを低下させ、一定比率のインダクタンス効率を保つ鉄心構造に関する考案である。
【背景技術】
【０００２】
従来のインダクタンスと変圧器の鉄心構造は、図１に示すように、鉄心５が主にEの形を呈しており、中段と両端の同じ方向にそれぞれ突出した中柱５１と側柱５３が、中柱５１と２つの側柱５３の間に陥没した空中部５２がある。ワイヤフレーム６は前述の鉄心５の部分ととものインダクタンスまたは変圧器を形成し、ワイヤフレーム６の中央には中央部の孔６１が開いている。この中央部の孔６１の外側にはダクト６２を取り巻くコイル６２１がある。また、ワイヤフレーム６の片方はコイル６２１とフレームのヘッドを引き出す溶接柱６３があり、２つの鉄心５本体の中柱５１がワイヤフレーム６の中央部の孔６１に差し込まれた後、相互に接触させるようになっており、空中部５２も中央部の孔６１の周りのコイル６２１を挟んでいる。このような組み立て方により、コイル６２１を挟むように設置されている鉄心５の両側の側柱５３と中央部の孔６１に差し込む中柱５１とともに磁気回路を作り出す。しかしながら、この仕組みでは、鉄心５の側柱５３は被覆面積が少なすぎるため、大部分のコイル６２１も露出し変圧器の漏れインダクタンスがひどくなり、効率を上げることが難しい。
【０００３】
図２と図３のように配電盤に取り付けやすい構造にするため、Ｅ型の鉄心３の中段と両端の突出した部分にそれぞれ中柱３１、側柱３２を設置し、中柱３１を二つの側柱３２の間に偏って置き、二つの側柱３２も同じ側に内側に向かって突出した側面延長部３２１に配置する。鉄心３とあわせるにワイヤフレーム４の真ん中に中央部の孔４２を開け、中央部の孔４２の外側にコイル４１を絡めるダクトを設置する。そして、垂直方向につなげる溶接柱４３１をそれぞれリードフレーム４３のワイヤフレーム４の横方向の２つの端に設置し、鉄心３の中柱３１をワイヤフレーム４の中央部の孔４２に通して、鉄心３の両側の側柱３２がワイヤフレーム４の周りを被覆する。ワイヤフレーム４は溶接柱４３１を配電盤に設置された溶接孔に溶接し、２つの側柱３２の側面延長部３２１を使って、ワイヤフレーム４から離れているリードフレーム４３の側面の２つの縁を包むことで、コイル４１が暴露する面積を減らす。ところが、前述する伝統的なインダクタンスまたは変圧器は回路がながすぎることによりインダクタンスの効率が低下することを防ぐため、多くの鉄心３の幅（Ｗ）対長さ（Ｌ）の比を約７対４に設定することで、それにあわせたワイヤフレーム４がワイヤ４１に巻きつくダクト長さをより短くした。このように、ワイヤ４１の各層に折り重なる面積が狭くなり、漏れインダクタンスが発生しやすくなることから、効率向上と漏れインダクタンスの低下との間に微妙なバランスを保つ方法を考えるのが、関係業者たちが努力し解決していかねばならぬ課題である。
【考案の開示】
【考案が解決しようとする課題】
【０００４】
本考案の目的は、インダクタンス鉄心の仕組みを改良することである。本体は鉄心とワイヤフレームの２つに分けられ、鉄心は高インダクタンス率(μ)の材料で作られ、中央には中柱が設置されている。中柱の両側には同じ方向に突出した側柱があり、鉄心の広さ（Ｗ）対長さ（Ｌ）の比率を３対２に保つ。ワイヤフレームの中心に中央部の孔をあけた。その孔の外周にコイルに巻きつけるダクトがあり、２つの鉄心を中柱を境にして、フレームの中央部の両端からそれぞれ差し込む。また両側の側柱を利用してワイヤフレームの両側を包み込み、長いほうの中柱を相互に結合させることでフレームの部分を延ばす。そして、コイルの各層の面積が広がるほど、漏れインダクタンスを有効的に低下させることができる。
【０００５】
本考案に関する詳しい構造、応用原理、作用と効用については、次の添付図及び説明で理解を深めることにする。
【課題を解決するための手段】
【０００６】
請求項１の考案は、インダクタンスに係る構造改良で、鉄心とワイヤフレームから構成され、鉄心の中央に中柱があり、中柱の両側に同じ方向に突出している側柱があり、ワイヤフレームの中央部に孔が開いており、中央部の孔の外周がワイヤで巻きつけられ、２つの鉄心を中柱と反対側から差し込まれたワイヤフレームの中央部の孔に通し、それに両側の側柱を利用してワイヤフレームを中に包み込むことで、鉄心とワイヤフレームを合体させることを特徴とする構造改良である。また、鉄心の幅（Ｗ）対長さ（Ｌ）は３対２の割合で、長いほうの中柱を使って連結することでワイヤフレームの長さを伸ばし、コイルに接触させる面積を広げて、漏れインダクタンスを低下させることを特徴とする構造。
請求項２の考案は、請求項１記載のインダクタンスの仕組み改良において、鉄心は高インダクタンス率(μ)の材料を使って製作することで、鉄心の長さが長くなるほど回路も長くなり、そのために効率が低下するのを減らすことを特徴とする構造。
【考案の効果】
【０００７】
本考案に係るインダクタンス鉄心の仕組み改良は、漏れインダクタンスを低減させるという効果である
【考案を実施するための最良の形態】
【０００８】
図１、図２、図３のように、従来のさまざまなインダクタンスもしくは変圧器の鉄心とワイヤフレームの主な構造に関する主な構成及びその欠陥は前述に述べたとおりであり、ここでの再説明は差し控える。
【０００９】
図４は本考案に関する構造分解図である。この図面から本考案は鉄心１とワイヤフレーム２の２つの部分で構成されることがわかる。鉄心１は高インダクタンス率(μ)の材料で作られたものでEの形を呈している。中段と両端に同じ方向に突出した中柱１１と側柱１２があり、鉄心の広さ（Ｗ１）対長さ（Ｌ１）の比率も３対２（長さは従来の商品より長い）に保ち、中柱１１は二つの側柱１２の間に偏って置いてある。２つの側柱１２は同じ方向で内側に突出している側面延長部１２１があり、ワイヤフレーム２の長さは中柱１１の露出する２倍の長さで、その中央にも中央部の孔２２が開いている。その中央部の孔２２の外周にはコイル２１を巻きつけたダクトがある。ワイヤフレーム２の片方から両側にリードフレーム２３を設け、それぞれコイル２３から引き出されているヘッドにつながるようにそれぞれ垂直に伸びる溶接柱２３１と接続させてある。
【００１０】
図５は本考案の全体的な説明図である。図面に示したように、組み立てるときに、中柱１１がワイヤフレーム２の中央部の孔２１に差し込んである２つの鉄心１を利用して接触させ、両側にある側柱１２でワイヤフレーム２の両側を包み込む。ワイヤフレーム２は溶接柱２３１を通じて配電盤の溶接孔に溶接することができ、その２つの側柱１２につなげられている側面延長部１２１を利用して、ワイヤフレーム２から離れているリードフレーム２３の側面の二端を覆うことで、コイル２１の露出部分を減少させる。ワイヤフレーム２の長さは鉄心１の中柱１１の長さにともなって伸びるため、コイル２１と接触する面積も広がり、漏れインダクタンスを有効的に低減させることができる。
【００１１】
前述の仕組みでは、２つの鉄心１は長さに比例して伸びるため、それに対して結合したあとも回路の延長、伝導率の低下につながるので、鉄心１の材料であるインダクタンス（μ）を引き上げることで問題を解決することができる。
【００１２】
上述の内容は、ただ本考案に係る実施例であり、本考案の実施範囲を限定するものではない。本考案の実用新案登録申請の範囲で述べた等量変化及び修飾はすべて本考案の請求範囲に包括される。
【図面の簡単な説明】
【００１３】
【図１】従来のインダクタンス鉄心と関連部品の構造図。
【図２】従来のインダクタンス鉄心と関連部品の分解図。
【図３】従来のインダクタンス鉄心と関連部品のの組み立て説明図。
【図４】本考案の分解図。
【図５】本考案の全体的な説明図。
【符号の説明】
【００１４】
１、３、５  鉄心                    １１、３１、５１  中柱
１２、３２、５３  側柱              １２１、３２１  側面延長部
２、４、６  ワイヤフレーム          ２１、４１、６２１  コイル
２２、４２、６１  中央部の孔        ２３、４３  リードフレーム
２３１、４３１、６３  溶接柱        ５２  空中部
６２  ダクト
【図１】
0003119987.tif 000003
【図２】
0003119987.tif 000004
【図３】
0003119987.tif 000005
【図４】
0003119987.tif 000006
【図５】
0003119987.tif 000007
【手続補正書】
【提出日】平成18年1月18日(2006.1.18)
【手続補正１】
【補正対象書類名】実用新案登録請求の範囲
【補正対象項目名】全文
【補正方法】変更
【補正の内容】
【実用新案登録請求の範囲】
【請求項１】
本考案はインダクタンスに係る構造で、鉄心とワイヤフレームから構成され、鉄心の中央に中柱があり、中柱の両側に同じ方向に突出している側柱があり、ワイヤフレームの中央部に孔が開いており、中央部の孔の外周がワイヤで巻きつけられ、２つの鉄心を中柱と反対側から差し込まれたワイヤフレームの中央部の孔に通し、それに両側の側柱を利用してワイヤフレームを中に包み込むことで、鉄心とワイヤフレームを合体させることを特徴とする構造である、また、鉄心の幅（Ｗ）対長さ（Ｌ）は３対２の割合で、長いほうの中柱を使って連結することでワイヤフレームの長さを伸ばし、コイルに接触させる面積を広げて、漏れインダクタンスを低下させることを特徴とする構造。
【請求項２】
請求項１記載のインダクタンスの仕組みにおいて、鉄心は高インダクタンス率(μ)の材料を使って製作することで、鉄心の長さが長くなるほど回路も長くなり、そのために効率が低下するのを減らすことを特徴とする構造。
【手続補正２】
【補正対象書類名】明細書
【補正対象項目名】全文
【補正方法】変更
【補正の内容】
【考案の詳細な説明】
【技術分野】
【０００１】 本考案はインダクタンスの仕組みであり、とくに有効的にコイルの漏れインダクタンスを低下させ、一定比率のインダクタンス効率を保つ鉄心構造に関する考案である。
【背景技術】
【０００２】  従来のインダクタンスと変圧器の鉄心構造は、図１に示すように、鉄心５が主にＥの形を呈しており、中段と両端の同じ方向にそれぞれ突出した中柱５１と側柱５３が、中柱５１と２つの側柱５３の間に陥没した空中部５２がある。ワイヤフレーム６は前述の鉄心５の部分とともにインダクタンスまたは変圧器を形成し、ワイヤフレーム６の中央には中央部の孔６１が開いている。この中央部の孔６１の外側にはダクト６２を取り巻くコイル６２１がある。また、ワイヤフレーム６の片方はコイル６２１とフレームのヘッドを引き出す溶接柱６３があり、２つの鉄心５本体の中柱５１がワイヤフレーム６の中央部の孔６１に差し込まれた後、相互に接触させるようになっており、空中部５２も中央部の孔６１の周りのコイル６２１を挟んでいる。このような組み立て方により、コイル６２１を挟むように設置されている鉄心５の両側の側柱５３と中央部の孔６１に差し込む中柱５１とともに磁気回路を作り出す。しかしながら、この仕組みでは、鉄心５の側柱５３は被覆面積が少なすぎるため、大部分のコイル６２１も露出し変圧器の漏れインダクタンスがひどくなり、効率を上げることが難しい。【０００３】  図２と図３のように配電盤に取り付けやすい構造にするため、Ｅ型の鉄心３の中段と両端の突出した部分にそれぞれ中柱３１、側柱３２を設置し、中柱３１を二つの側柱３２の間に偏って置き、二つの側柱３２も同じ側に内側に向かって突出した側面延長部３２１に配置する。鉄心３とあわせるワイヤフレーム４の真ん中に中央部の孔４２を開け、中央部の孔４２の外側にコイル４１を絡めるダクトを設置する。そして、垂直方向につなげる溶接柱４３１をそれぞれリードフレーム４３のワイヤフレーム４の横方向の２つの端に設置し、鉄心３の中柱３１をワイヤフレーム４の中央部の孔４２に通して、鉄心３の両側の側柱３２がワイヤフレーム４の周りを被覆する。ワイヤフレーム４は溶接柱４３１を配電盤に設置された溶接孔に溶接し、２つの側柱３２の側面延長部３２１を使って、ワイヤフレーム４から離れているリードフレーム４３の側面の２つの縁を包むことで、コイル４１が暴露する面積を減らす。ところが、前述する伝統的なインダクタンスまたは変圧器は回路がながすぎることによりインダクタンスの効率が低下することを防ぐため、多くの鉄心３の幅（Ｗ）対長さ（Ｌ）の比を約７対４に設定することで、それにあわせたワイヤフレーム４がワイヤ４１に巻きつくダクト長さをより短くした。このように、ワイヤ４１の各層に折り重なる面積が狭くなり、漏れインダクタンスが発生しやすくなることから、効率向上と漏れインダクタンスの低下との間に微妙なバランスを保つ方法を考えるのが、関係業者たちが努力し解決していかねばならぬ課題である。
【考案の開示】
【考案が解決しようとする課題】
【０００４】  本考案の目的は、インダクタンス鉄心の仕組みである。本体は鉄心とワイヤフレームの２つに分けられ、鉄心は高インダクタンス率(μ)の材料で作られ、中央には中柱が設置されている。中柱の両側には同じ方向に突出した側柱があり、鉄心の広さ（Ｗ）対長さ（Ｌ）の比率を３対２に保つ。ワイヤフレームの中心に中央部の孔をあけた。その孔の外周にコイルに巻きつけるダクトがあり、２つの鉄心を中柱を境にして、フレームの中央部の両端からそれぞれ差し込む。また両側の側柱を利用してワイヤフレームの両側を包み込み、長いほうの中柱を相互に結合させることでフレームの部分を延ばす。そして、コイルの各層の面積が広がるほど、漏れインダクタンスを有効的に低下させることができる。【０００５】  本考案に関する詳しい構造、応用原理、作用と効用については、次の添付図及び説明で理解を深めることにする。
【課題を解決するための手段】
【０００６】  請求項１の考案は、本考案はインダクタンスに係る構造で、鉄心とワイヤフレームから構成され、鉄心の中央に中柱があり、中柱の両側に同じ方向に突出している側柱があり、ワイヤフレームの中央部に孔が開いており、中央部の孔の外周がワイヤで巻きつけられ、２つの鉄心を中柱と反対側から差し込まれたワイヤフレームの中央部の孔に通し、それに両側の側柱を利用してワイヤフレームを中に包み込むことで、鉄心とワイヤフレームを合体させることを特徴とする構造である、また、鉄心の幅（Ｗ）対長さ（Ｌ）は３対２の割合で、長いほうの中柱を使って連結することでワイヤフレームの長さを伸ばし、コイルに接触させる面積を広げて、漏れインダクタンスを低下させることを特徴とする構造。  請求項２の考案は、請求項１記載のインダクタンスの仕組みにおいて、鉄心は高インダクタンス率(μ)の材料を使って製作することで、鉄心の長さが長くなるほど回路も長くなり、そのために効率が低下するのを減らすことを特徴とする構造。
【考案の効果】
【０００７】 本考案に係るインダクタンス鉄心の仕組みは、漏れインダクタンスを低減させるという効果である。
【考案を実施するための最良の形態】
【０００８】  図１、図２、図３のように、従来のさまざまなインダクタンスもしくは変圧器の鉄心とワイヤフレームの主な構造に関する主な構成及びその欠陥は前述に述べたとおりであり、ここでの再説明は差し控える。【０００９】  図４は本考案に関する構造分解図である。この図面から本考案は鉄心１とワイヤフレーム２の２つの部分で構成されることがわかる。鉄心１は高インダクタンス率(μ)の材料で作られたものでＥの形を呈している。中段と両端に同じ方向に突出した中柱１１と側柱１２があり、鉄心の広さ（Ｗ１）対長さ（Ｌ１）の比率も３対２（長さは従来の商品より長い）に保ち、中柱１１は二つの側柱１２の間に偏って置いてある。２つの側柱１２は同じ方向で内側に突出している側面延長部１２１があり、ワイヤフレーム２の長さは中柱１１の露出する２倍の長さで、その中央にも中央部の孔２２が開いている。その中央部の孔２２の外周にはコイル２１を巻きつけたダクトがある。ワイヤフレーム２の片方から両側にリードフレーム２３を設け、それぞれコイル２３から引き出されているヘッドにつながるようにそれぞれ垂直に伸びる溶接柱２３１と接続させてある。【００１０】  図５は本考案の全体的な説明図である。図面に示したように、組み立てるときに、中柱１１がワイヤフレーム２の中央部の孔２１に差し込んである２つの鉄心１を利用して接触させ、両側にある側柱１２でワイヤフレーム２の両側を包み込む。ワイヤフレーム２は溶接柱２３１を通じて配電盤の溶接孔に溶接することができ、その２つの側柱１２につなげられている側面延長部１２１を利用して、ワイヤフレーム２から離れているリードフレーム２３の側面の二端を覆うことで、コイル２１の露出部分を減少させる。ワイヤフレーム２の長さは鉄心１の中柱１１の長さにともなって伸びるため、コイル２１と接触する面積も広がり、漏れインダクタンスを有効的に低減させることができる。【００１１】  前述の仕組みでは、２つの鉄心１は長さに比例して伸びるため、それに対して結合したあとも回路の延長、伝導率の低下につながるので、鉄心１の材料であるインダクタンス（μ）を引き上げることで問題を解決することができる。【００１２】  上述の内容は、ただ本考案に係る実施例であり、本考案の実施範囲を限定するものではない。本考案の実用新案登録申請の範囲で述べた等量変化及び修飾はすべて本考案の請求範囲に包括される。
【図面の簡単な説明】
【００１３】
【図１】従来のインダクタンス鉄心と関連部品の構造図。
【図２】従来のインダクタンス鉄心と関連部品の分解図。
【図３】従来のインダクタンス鉄心と関連部品の組み立て説明図。
【図４】本考案の分解図。
【図５】本考案の全体的な説明図。
【符号の説明】
【００１４】  １、３、５            鉄心                １１、３１、５１      中柱  １２、３２、５３      側柱                １２１、３２１        側面延長部  ２、４、６            ワイヤフレーム      ２１、４１、６２１    コイル  ２２、４２、６１      中央部の孔          ２３、４３            リードフレーム  ２３１、４３１、６３  溶接柱              ５２                  空中部  ６２                  ダクト